(57)【要約】【課題】建物の床の屈曲に対応する高さ調整手段を備えた収納庫用台輪において、荷重を床の広い範囲に分散することにより、床への影響を少なくすることを目的とする。【解決手段】収納庫１４を載置する上部枠体７と、床面に設置する下部枠体７を、複数の高さ調整手段１１を介して継合する構成とすることにより、収納庫用台輪に載置する収納庫１４の荷重を収納庫用台輪の下部枠体１３全体で床に加えることとなり、荷重の分散が図れ、床への影響を少なくすることができる。【選択図】図１
2006115889.tif 000002
【特許請求の範囲】
【請求項１】
収納庫を載置する上部枠体と、床面に設置する下部枠体を、複数の高さ調整手段を介して継合した収納庫用台輪。
【請求項２】
上部枠体の少なくとも前面外周に下部枠体を覆い隠す化粧カバーを備えた請求項１に記載の収納庫用台輪。
【請求項３】
上部枠体と下部枠体の前面に開口を設け、前記開口より出し入れ自在な引き出しを装着した請求項１に記載の収納庫用台輪。
【請求項４】
上部枠体の上面に凹状の溝を設け、前記溝内に装着した弾性を有するすべり防止体が上部枠体の上面より突出した構成の請求項１〜４のいずれか１項に記載の収納庫用台輪。
【発明の詳細な説明】
【技術分野】
【０００１】
本発明は家具等の収納庫下部に設置する台輪に関するに関するものである。
【背景技術】
【０００２】
従来、この種の収納庫用台輪は、四角形に枠組みした台枠の下部に複数個の高さ調整自在な支脚を設け、支脚の下端は直接床に接している構成であり、床の屈曲に合わせて支脚を調整し、水平に調整した台枠上に収納庫を載置している（例えば、特許文献１参照）。
【０００３】
図５は、特許文献１に記載された従来の収納庫用台輪を示すものである。
【０００４】
図５に示すように、四角形に枠組みした台枠１の下面に設けたナット２にキャップ付ボルト３を螺合し、台枠１の上面よりキャップ付ボルト３を回転することにより、床面４の屈曲や傾斜に合わせて高さを調整する構成なっており、床面４への接触はキャップ付ボルト３のキャップ３ａのみで行っている、台枠１の上面にはキャビネット５を載置し、台枠１の前面には化粧板６を別途取り付ける構成となっている。
【特許文献１】実開平３−６０５４２号公報
【発明の開示】
【発明が解決しようとする課題】
【０００５】
しかしながら、前記従来の構成では、キャビネット等の全荷重が支脚であるキャップ付ボルトのキャップで建物の床面に加わるため、床面に対して点荷重となり、床面が部分的にたわみやすく建築物の床を強固にする必要があり、また床の強度が不足すると時間の経過によりたわみが生じ，キャビネットが傾くという課題を有していた。
【０００６】
本発明は、前記従来の課題を解決するもので、建物の床の屈曲や傾斜に対応する高さ調整手段を備えた収納庫用台輪において、荷重を床の広い範囲に分散することにより、床への影響を少なくする収納庫用台輪を提供することを目的とする。
【課題を解決するための手段】
【０００７】
前記従来の課題を解決するために、本発明の収納庫用台輪は、収納庫を載置する上部枠体と、床面に設置する下部枠体を、複数の高さ調整手段を介して継合する構成としたものである。
【０００８】
これによって、台輪に載置する収納庫の荷重を台輪の下部枠体全体で床に加えることとなり、荷重の分散が図れ、床への影響を少なくすることができる。
【発明の効果】
【０００９】
本発明の収納庫用台輪は、荷重の分散が図れ、床への影響を少なくすることができる。
【発明を実施するための最良の形態】
【００１０】
第１の発明は収納庫を載置する上部枠体と、床面に設置する下部枠体を、複数の高さ調整手段を介して継合することにより、収納庫用台輪に載置する収納庫の荷重を収納庫用台輪の下部枠体全体で床に加えることとなり、荷重の分散が図れ、床への影響を少なくすることができる。
【００１１】
第２の発明は、特に、第１の発明の上部枠体の少なくとも前面外周に下部枠体を覆い隠す化粧カバーを備えた構成とすることにより、高さ調整により上部枠体と下部枠体間に生じる隙間を隠すことができることとなり外観の向上と、隙間へのごみの蓄積を防止することができる。
【００１２】
第３の発明は、特に、第１の発明の上部枠体と下部枠体の前面に開口を設け、前記開口より出し入れ自在な引き出しを装着することにより、引き出しは日常的に収納庫として使用することができるので、収納庫用台輪内の有効活用を図ることができる。
【００１３】
第４の発明は、特に、第１〜３のいずれか１つの発明の上部枠体の上面に凹状の溝を設け、前記溝内に装着した弾性を有するすべり防止体が上部枠体の上面より突出した構成とすることにより、収納庫を載置するだけで、すべり防止部材の反発力を利用して、収納庫の移動を防止することができ、しかも収納庫用台輪と収納庫間に隙間を生じることもなく、簡単に収納庫と収納庫用台輪の移動防止ができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における収納庫用台輪の斜視図を示すものであり、図２は、本発明の第１の実施の形態における収納庫用台輪の断面図を示すものである。
【００１６】
図１〜２において、上部枠体７は左右に配設した縦枠材７ａと前後に配設した横枠材７ｂを結合した四角形の枠体を構成している。縦枠材７ａの中央上面には凹状の溝８を備え、溝８内には上端が縦枠材７ａより突出する弾性を有するすべり防止部材９を装着してある。また縦枠材７ａの前後２箇所にインサートナット１０を固着し、先端に回動自在なキャップ１１ａを備えたキャップ付ボルト１１を螺合している。上部枠体７の前面には下部枠体１３まで覆う薄板の化粧カバー１２を有している。
上部枠体７の下方に、上部枠体７と略同寸法の、下部枠体１３が設置してあり、上部枠体７と同様に縦枠材１３ａと横枠材１３ｂで四角形状の枠体を構成している。また下部枠体１３の前面は化粧処理を施している。
上部枠体７のインサートナット１０に螺合したキャップ付ボルト１１の回動自在なキャップ１１ａ下部枠体１３上面に木ねじ（図示せず）で固定してあり、上部枠体７と下部枠体１３はキャップ付ボルト１１を介して互いに継合している。そして上部枠体７の上部には収納庫１４を載置している。
【００１７】
以上のように構成された台輪について、以下その動作、作用を説明する。
【００１８】
まず、床に設置された収納庫用台輪は、上部枠体７の上面が水平となるよう、前後左右４個のキャップ付ボルト１１をそれぞれ回転して水平を出す。キャップ付ボルト１１のキャップ１１ａは、下部枠体１３の縦枠材１３ａ上面に固定してあるため、キャップ付ボルト１１を回転すると上部枠体７が持ち上げられ、上部枠体７と下部枠体１３との間に隙間が生じる。しかし、この隙間は上部枠体７前面に貼り付けている化粧カバー１２で覆われ、前面からは見えない。また化粧カバー１２が持ち上がり現れる下部枠体１３の前面にも化粧処理を施しているため、化粧材を用いる必要がなく、外観上も問題なく施工性にも優れている。
【００１９】
そして、床に設置された収納庫用台輪のレベル出しを行なった後、上部枠体７の上部に収納庫１４を載置する。上部枠体７に載置した収納庫１４の重量は床面の屈曲にかかわらず、キャップ付ボルト１１を介して下部枠体１３の上面にかかり、床面にはたえず下部枠体１３下面全体が接している。そのため収納庫１４の荷重の分散が図れ、床への影響を少なくすることができる。
【００２０】
また、上部枠体７の上部に載置した収納庫１４は、溝８に上面に突出した状態で設置した弾性を有するすべり防止体９を重量により押し下げ、すべり防止体９は溝８内に全て納まる。しかし弾性を有しているためたえず反発しており、その反発力がすべり抵抗となり、台輪の上部に収納庫１４を載置するだけで、容易に移動することもなく固定することができる。
【００２１】
なお、本実施例においては化粧カバー１２を上部枠体７の前面のみに設置したが側面あるいは背面が開放状態で設置される場合は開放面となる側面および背面に設置することができる。また下部枠体１３の化粧処理も同様である。
【００２２】
（実施の形態２）
図３は、本発明の第２の実施の形態の収納庫用台輪の全体斜視図を示すものであり、図４は、収納庫用台輪の断面図を示すものである。
【００２３】
図３〜４において、上部枠体１５は左右の縦枠体１５ａと後部の横枠体１５ｂでコの字形状に枠組みし、上面に天板１５ｃを接合して前面を開口部としている。縦枠体１５ａの内側には両側に引き出しガイド１６を固着し、外側には薄板の化粧カバー１７で下部枠体１８下端まで覆っている。上部枠体１５の両側縦枠材内の前後２箇所に実施の形態１と同様にインサートナット１０を固着し、キャップ付ボルト１１を螺合している。また天板１５ｃ上面の両端に実施の形態１と同様に凹状の溝１８を施し、その溝１８内に上端が天板１５ｃより突出する弾性を有するすべり防止部材９を装着している。
【００２４】
上部枠体１５の下方には下部枠体１９が設置したあり、下部枠体１９は左右の縦枠体１９ａと後部の横枠体１９ｂで上部枠体１５と略同寸法のコの字形状に枠組みし、その下方に底板１９ｃを設けて前面を開口部とし、左右の両側面には化粧処理を施している。
【００２５】
上部枠体１５のインサートナット１０に螺合したキャップ付ボルト１１の回動自在なキャップ１１ａは下部枠体１９上面に木ねじ（図示せず）で固定してあり、上部枠体１５と下部枠体１９はキャップ付ボルト１１を介して互いに継合している。
【００２６】
上部枠体１５と下部枠体１９で形成された前面開口の収納庫用台輪の内部には引き出し２０が設置されており、引き出し２０の両側板に形成したガイド溝２０ａを前記引き出しガイド１６に挿着することにより摺動可能な構成となっている。そして、上部枠体１５と下部枠体１９で構成した収納庫用台輪の上部に収納庫１４を載置している。
【００２７】
なお、実施の形態１と同符号のものは同一構造とし、説明は省略する。
【００２８】
以上のように構成された収納庫用台輪について、以下その動作、作用を説明する。
【００２９】
まず、床に設置された収納庫用台輪は、上部枠体１５が水平となるよう、前後左右４個のキャップ付ボルト１１をそれぞれ回転して水平を出す。キャップ付ボルト１１のキャップ１１ａは、下部枠体１９の上面に固定してあるため、キャップ付ボルト１１を回転すると上部枠体１５が持ち上げられ、上部枠体１５と下部枠体１９との間に隙間が生じる。しかし、この隙間は上部枠体１５の両側面に貼り付けている化粧カバー１７で覆われ、外からは見えない。また化粧カバー１７が持ち上がり現れる下部枠体１９の側面にも化粧処理を施しており、薄板の化粧カバー１７と一体感があり、外観上別部材の化粧材を用いる必要がなく、施工性に優れている。前面開口部に生じる隙間も引き出し２０にて覆い隠される。
【００３０】
そして、縦枠体１５ａの内面に装着している引き出しガイド１６に、引き出し２０のガイド溝２０ａに挿着することにより、引き出し２０を収納することができ、従来デッドスペースになっていた台輪部の有効活用が図れる。そして、この引き出し２０は、上部枠体１５に装着しているため、収納庫用台輪の高さ調整により高さが変わっても、上部に載置する収納庫１４の扉と位置関係は変わらず、見映えも良い。また、キャップ付ボルト１１による高さ調整も上下の枠体内で行なうため、キャップ１１ａが床に直接接しなく、実施の形態１と同様の効果がある。上部枠体１５に装着したすべり防止体９についても実施の形態１と同様の効果がある。
【産業上の利用可能性】
【００３１】
以上のように、本発明にかかる収納庫用台輪は、収納庫による床への荷重の分散が図れ、床への影響を少なくすることができるので、各種の収納庫にくわえ重量の大きい設備機器や家電品などの用途にも適用できる。
【図面の簡単な説明】
【００３２】
【図１】本発明の実施の形態１における収納庫用台輪の斜視図
【図２】本発明の実施の形態１における収納庫用台輪の断面図
【図３】本発明の実施の形態２における収納庫用台輪の斜視図
【図４】本発明の実施の形態２における収納庫用台輪の断面図
【図５】従来の収納庫用台輪の断面図
【符号の説明】
【００３３】
７、１５  上部枠体
８、１８  溝
９  すべり防止体
１１  キャップ付ボルト（調整手段）
１２、１７  化粧カバー
１３、１９  下部枠体
２０  引き出し
【図１】
2006115889.tif 000003
【図２】
2006115889.tif 000004
【図３】
2006115889.tif 000005
【図４】
2006115889.tif 000006
【図５】
2006115889.tif 000007